【手続補正書】
【提出日】平成23年9月30日(2011.9.30)
【手続補正１】
【補正対象書類名】特許請求の範囲
【補正対象項目名】全文
【補正方法】変更
【補正の内容】
【特許請求の範囲】
【請求項１】
潤滑組成物であって、該潤滑組成物は、潤滑粘性の油、および該潤滑組成物のうちの１重量％〜１．３重量％の石鹸含有量を有するカルシウム含有フェネート界面活性剤を含み、ここで該潤滑組成物は、該潤滑組成物のうちの多くて０．５重量％の総硫酸塩灰分含有量を有する、潤滑組成物。
【請求項２】
前記潤滑組成物は、無灰分分散剤をさらに含み、該無灰分分散剤は、０．０３重量％から０．０８重量％未満の窒素を該潤滑組成物に与える、請求項１に記載の潤滑組成物。
【請求項３】
前記潤滑組成物は、（ｉ）窒素に対するカルボニル比が１以上を有する分散剤；および（ｉｉ）窒素に対するカルボニル比が１未満を有する分散剤、の分散剤パッケージをさらに含む、請求項１〜２のいずれか１項に記載の潤滑組成物。
【請求項４】
「熱エン」反応によって作製されるアシル化剤から得られる分散剤を含む、請求項１〜３のいずれか１項に記載の潤滑組成物。
【請求項５】
前記潤滑組成物は、（ｉ）０．５重量％以下の硫黄含有量、（ｉｉ）０．１重量％以下のリン含有量、および（ｉｉｉ）０．５重量％以下の硫酸化灰分含有量、のうちの少なくとも１つを有すると特徴付けられる、請求項１〜４のいずれか１項に記載の潤滑組成物。
【請求項６】
前記潤滑組成物は、３００ｐｐｍ〜５００ｐｐｍのリン含有量を有する、請求項１〜５のいずれか１項に記載の潤滑組成物。
【請求項７】
前記カルシウム含有フェネート界面活性剤は、スルホネート界面活性剤との混合物において存在する、請求項１〜６のいずれか１項に記載の潤滑組成物。
【請求項８】
前記カルシウム含有フェネート界面活性剤は、硫黄含有フェネート界面活性剤である、請求項１〜７のいずれか１項に記載の潤滑組成物。
【請求項９】
前記カルシウム含有フェネート界面活性剤は、前記潤滑組成物に存在する石鹸の総量の、少なくとも９０重量％の総石鹸含有量を与える、請求項１〜８のいずれか１項に記載の潤滑組成物。
【請求項１０】
前記潤滑組成物は、硫酸化灰分に対するカルシウム含有フェネート界面活性剤からの石鹸の比が少なくとも２を有する、請求項１〜９のいずれか１項に記載の潤滑組成物。
【請求項１１】
油溶性チタン含有添加剤をさらに含む、請求項１〜１０のいずれか１項に記載の潤滑組成物。
【請求項１２】
１，２，４−トリアゾール、ベンゾトリアゾールもしくはこれらの混合物をさらに含む、請求項１〜１１のいずれか１項に記載の潤滑組成物。
【請求項１３】
前記硫黄含有フェネート界面活性剤は、５０〜２７０のＴＢＮを有する、請求項８に記載の潤滑組成物。
【請求項１４】
内燃機関を潤滑するための方法であって、該方法は、請求項１〜１３に記載の潤滑組成物を該内燃機関に供給する工程を包含する、方法。
【請求項１５】
（ｉ）燃費のコントロール、（ｉｉ）腐食のコントロール、（ｉｉｉ）清潔さ、および（ｉｖ）内径摩耗のコントロールのうちの少なくとも１つのための、乗用車の内燃機関における請求項１〜１３のいずれか１項に記載の潤滑組成物の使用。
【手続補正２】
【補正対象書類名】明細書
【補正対象項目名】００２０
【補正方法】変更
【補正の内容】
【００２０】
一実施形態において、本発明は、（ｉ）燃費のコントロール、（ｉｉ）腐食のコントロール、（ｉｉｉ）清潔さ、および（ｉｖ）内径摩耗（ｂｏｒｅ  ｗｅａｒ）のコントロールのうちの少なくとも１つのための、乗用車の内燃機関における、本明細書で開示される上記潤滑組成物の使用を提供する。
本発明は、例えば以下の項目を提供する。
（項目１）
潤滑組成物であって、該潤滑組成物は、潤滑粘性の油、および該潤滑組成物のうちの０．０６重量％〜１．６重量％の石鹸含有量を有するカルシウム含有フェネート界面活性剤を含み、ここで該潤滑組成物は、該潤滑組成物のうちの多くて０．５重量％の総硫酸塩灰分含有量を有する、潤滑組成物。
（項目２）
前記潤滑組成物のうちの石鹸含有量は、該潤滑組成物のうちの１．０重量％〜１．３重量％の範囲である、項目１に記載の潤滑組成物。
（項目３）
前記潤滑組成物は、分散剤をさらに含む、前述の項目のいずれか１項に記載の潤滑組成物。
（項目４）
前記潤滑組成物は、無灰分分散剤をさらに含み、該無灰分分散剤は、０．０３重量％から０．０８重量％未満の窒素を該潤滑組成物に与える、前述の項目のいずれか１項に記載の潤滑組成物。
（項目５）
前記潤滑組成物は、無灰分分散剤をさらに含み、該無灰分分散剤は、０．０４重量％〜０．０７重量％の窒素を該潤滑組成物に与える、前述の項目のいずれか１項に記載の潤滑組成物。
（項目６）
前記潤滑組成物は、（ｉ）窒素に対するカルボニル比が１以上を有する分散剤；および（ｉｉ）窒素に対するカルボニル比が１未満を有する分散剤、の分散剤パッケージをさらに含む、前述の項目のいずれか１項に記載の潤滑組成物。
（項目７）
「熱エン」反応によって作製されるアシル化剤から得られる分散剤を含む、前述の項目のいずれか１項に記載の潤滑組成物。
（項目８）
前記潤滑組成物は、７ｍｇ  ＫＯＨ／ｇ以下、もしくは４〜７ｍｇ  ＫＯＨ／ｇの総塩基数（ＴＢＮ）を有する、前述の項目のいずれか１項に記載の潤滑組成物。
（項目９）
前記潤滑組成物は、（ｉ）０．５重量％以下の硫黄含有量、（ｉｉ）０．１重量％以下のリン含有量、および（ｉｉｉ）０．５重量％以下の硫酸化灰分含有量、のうちの少なくとも１つを有すると特徴付けられる、前述の項目のいずれか１項に記載の潤滑組成物。
（項目１０）
前記潤滑組成物は、０．０１重量％〜０．３重量％の硫黄含有量を有する、前述の項目のいずれか１項に記載の潤滑組成物。
（項目１１）
前記潤滑組成物は、３００ｐｐｍ〜５００ｐｐｍのリン含有量を有する、前述の項目のいずれか１項に記載の潤滑組成物。
（項目１２）
前記カルシウム含有フェネート界面活性剤は、スルホネート界面活性剤との混合物において存在する、前述の項目のいずれか１項に記載の潤滑組成物。
（項目１３）
前記カルシウム含有界面活性剤は、フェネート界面活性剤のみである、前述の項目のいずれか１項に記載の潤滑組成物。
（項目１４）
前記カルシウム含有フェネート界面活性剤は、硫黄含有フェネート界面活性剤である、前述の項目のいずれか１項に記載の潤滑組成物。
（項目１５）
前記カルシウム含有フェネート界面活性剤は、前記潤滑組成物に存在する石鹸の総量の、少なくとも９０重量％、または９２重量％より高い、９６重量％以上、または９６重量％〜１００重量％の総石鹸含有量を与える、前述の項目のいずれか１項に記載の潤滑組成物。
（項目１６）
前記潤滑組成物は、硫酸化灰分に対するカルシウム含有フェネート界面活性剤からの石鹸の比が少なくとも２、または少なくとも２．２、または少なくとも２．５を有する、前述の項目のいずれか１項に記載の潤滑組成物。
（項目１７）
油溶性チタン含有添加剤をさらに含む、前述の項目のいずれか１項に記載の潤滑組成物。
（項目１８）
２種以上の腐食抑制剤をさらに含む、前述の項目のいずれか１項に記載の潤滑組成物。
（項目１９）
１，２，４−トリアゾール、ベンゾトリアゾールもしくはこれらの混合物をさらに含む、前述の項目のいずれか１項に記載の潤滑組成物。
（項目２０）
前記潤滑粘性の油は、ＡＰＩ  グループＩＩ、ＩＩＩもしくはＩＶの油である、前述の項目のいずれか１項に記載の潤滑組成物。
（項目２１）
前記潤滑粘性の油は、ＡＰＩ  グループＩＩＩの油を含む、前述の項目のいずれか１項に記載の潤滑組成物。
（項目２２）
前記硫黄含有フェネート界面活性剤は、５０〜２７０、もしくは７０〜１７０のＴＢＮを有する、前述の項目のいずれか１項に記載の潤滑組成物。
（項目２３）
内燃機関を潤滑するための方法であって、該方法は、項目１〜２１に記載の潤滑組成物を該内燃機関に供給する工程を包含する、方法。
（項目２４）
前記内燃機関は、乗用車の内燃機関である、項目２３に記載の方法。
（項目２５）
前記内燃機関は、６リットル以下、５リットル以下、もしくは４リットル以下、１リットル〜３リットルのエンジン出力を有する、項目２３〜２４のいずれか１項に記載の方法。
（項目２６）
（ｉ）燃費のコントロール、（ｉｉ）腐食のコントロール、（ｉｉｉ）清潔さ、および（ｉｖ）内径摩耗のコントロールのうちの少なくとも１つのための、乗用車の内燃機関における項目１〜２２のいずれか１項に記載の潤滑組成物の使用。